(57)【特許請求の範囲】
【請求項１】
円盤状の金属板からなるハブ（１）と、
このハブ（１）の軸方向一側面に、端面にフィン（２２ａ）が形成された第一の環状質量体（２２）を第一のエラストマ（２１）を介して弾性的に連結した第一のダンパ本体（２）と、
この第一のダンパ本体（２）の外周側の位置で前記ハブ（１）の軸方向他側面に、端面にフィン（２２ａ）が形成された第二の環状質量体（３２）を第二のエラストマ（３１）を介して弾性的に連結した第二のダンパ本体（３）と、
を備え、
前記ハブ（１）が、
前記第一のエラストマ（２１）と接着された内周側接合部（１３）と、
前記第二のエラストマ（３１）と接着された外周側接合部（１５）と、
これら内周側接合部（１３）と外周側接合部（１５）の間に形成されて前記第一のダンパ本体（２）を外周側から空間（Ｓ１）を介して包囲しかつ第二のダンパ本体（３）を内周側から空間（Ｓ２）を介して包囲するように延びる屈曲部（１４）と、
を備え、前記屈曲部（１４）に、回転によってポンプ力を発生する通気孔（１４ａ）が開設されたことを特徴とするトーショナルダンパ。
【発明の詳細な説明】
【０００１】
【産業上の利用分野】
本発明は、エンジンのクランクシャフトの主に捩り振動を吸収するトーショナルダンパに関する。
【０００２】
【従来の技術】
エンジンのクランクシャフトには、回転に伴って捩り振動（回転方向の振動）を生じるため、このような捩り振動を有効に吸収する目的で、クランクシャフトの軸端には、トーショナルダンパが装着される。トーショナルダンパは、基本的にはクランクシャフトの軸端に固定されるハブと、このハブに対して同心的に近接配置された環状質量体（振動リングともいう）とをエラストマを介して弾性的に連結したもので、前記環状質量体とエラストマからなる共振系が、ハブを介して入力されるクランクシャフトの捩り振動の振動変位の位相と逆の位相で共振することによって動的吸振効果を発揮するものである。
【０００３】
この種のトーショナルダンパの典型的な従来例が、例えば実開平４−３１３５１号公報に開示されている。このトーショナルダンパは、軸端に取り付けられる金属板からなるハブの厚さ方向両側に、環状のエラストマを介して一対の環状質量体を弾性的に連結したダブルマス構造を有するもので、このようなダブルマス構造のトーショナルダンパは、エラストマと環状質量体からなる２つの共振系に互いに異なる捩り方向固有振動数を設定することによって、広い回転数域の捩り振動に対して有効な制振性能を発揮することができる。
【０００４】
【発明が解決しようとする課題】
トーショナルダンパにおいては、クランクシャフトから入力される捩り振動のエネルギを、エラストマが熱に変換することによって減衰し、換言すれば、ハブと環状質量体との間でエラストマが繰り返し変形を受けることによって自己発熱する。このため、特に上述のようなダブルマス構造のトーショナルダンパの場合は、ハブの両側でエラストマが発熱するので、ハブを介しての熱の放出が効率良く行われず、この熱の蓄積によってエラストマが劣化し、ダンパとしての性能や耐久性が低下する恐れがある。
【０００５】
本発明は、上記のような事情のもとになされたもので、その技術的課題とするところは、ダブルマス構造のトーショナルダンパにおいて、エラストマから発生する熱を効率良く放出し、熱の蓄積によるエラストマの劣化やこれによるその耐久性低下を防止することにある。
【０００６】
【課題を解決するための手段】
上述した技術的課題を有効に解決するための手段として、本発明に係るトーショナルダンパは、円盤状の金属板からなるハブと、このハブの軸方向一側面に、端面にフィンが形成された第一の環状質量体を第一のエラストマを介して弾性的に連結した第一のダンパ本体と、この第一のダンパ本体の外周側の位置で前記ハブの軸方向他側面に、端面にフィンが形成された第二の環状質量体を第二のエラストマを介して弾性的に連結した第二のダンパ本体とを備え、前記ハブが、前記第一のエラストマと接着された内周側接合部と、前記第二のエラストマと接着された外周側接合部と、これら内周側接合部と外周側接合部の間に形成されて前記第一のダンパ本体を外周側から空間を介して包囲しかつ前記第二のダンパ本体を内周側から空間を介して包囲するように延びる屈曲部とを備え、前記屈曲部に、回転によってポンプ力を発生する通気孔が開設されたものである。
【０００７】
【作用】
本発明のトーショナルダンパによれば、第一のダンパ本体における第一のエラストマと、この第一のダンパ本体の外周側の第二のダンパ本体における第二のエラストマは、振動減衰動作に伴い発熱するが、ハブは、第一のエラストマと接着された内周側接合部と、第二のエラストマと接着された外周側接合部は、屈曲部を介して互いに分離した位置にあるため、ハブにはその両側がエラストマで覆われた部分が存在せず、しかも前記屈曲部の存在によりハブの放熱面積が大きくなるので、放熱性が良くなる。そして前記屈曲部に開設された通気孔が回転によってポンプ力を発生し、前記屈曲部の内周側から外周側へ通気孔を通過する顕著な空気流が惹起されるため、屈曲部に伝達された熱が除去され、第一のエラストマ側と第二のエラストマ側との間の伝熱を遮断する。
【０００８】
【実施例】
図１は、本発明に係るトーショナルダンパの好ましい一実施例を示すものである。この図において、参照符号１は、円盤状の金属板からなり内周部１１が内周孔１１ａに挿通されるクランクシャフトの軸端（図示省略）に装着されるハブ、２はハブ１の図中左側面に第一のエラストマ２１を介して金属からなる第一の環状質量体２２を弾性的に連結した構造を有する第一のダンパ本体、３は第一のダンパ本体２の外周側にあってハブ１の図中右側面に第二のエラストマ３１を介して第二の環状質量体３２を弾性的に連結した構造を有する第二のダンパ本体である。第一のエラストマ２１及び第二のエラストマ２２は、ハブ１と第一の環状質量体２２との間及びハブ１と環状質量体３２との間に、それぞれ加硫接着（加硫成形）されたものである。第一のダンパ本体２と第二のダンパ本体３は、相対的に内周側に位置する第一の環状質量体２２と外周側に位置する第二の環状質量体３２の慣性質量の相違や、第一のエラストマ２１と第二のエラストマ３１の肉厚や径方向接着幅等によるバネ定数の相違によって、互いに異なる固有振動数を有する。
【０００９】
ハブ１は、第一のエラストマ２１と接着された内周側接合部１３が、この第一のエラストマ２１に対して図中左側に位置する第一の環状質量体２２を避けるように、内周部１１から湾曲段差部１２を介して図中右側へ偏在した形状に形成されており、第二のエラストマ３１と接着された外周側接合部１５が、この第二のエラストマ３１に対して図中右側に位置する第二の環状質量体３２を避けるように、図中左側へ偏在した形状に形成されており、前記内周側接合部１３と外周側接合部１５の間には、第一のダンパ本体２を外周側から包囲しかつ第二のダンパ本体３を内周側から包囲するように延びる略テーパ状の屈曲部１４が形成されている。そしてこのようなハブ１の形状によって、第二のダンパ本体３における第二のエラストマ３１は第一のダンパ本体２における第一の環状質量体２２のほぼ外周に位置すると共に、第二のダンパ本体３における第二の環状質量体３２が第一のダンパ本体２における第一のエラストマ２１のほぼ外周に位置している。
【００１０】
第一の環状質量体２２における第一のエラストマ２１と反対側の端面及び第二の環状質量体３２における第二のエラストマ３１と反対側の端面にはそれぞれ円周方向等間隔で複数のフィン２２ａ，３２ａが形成されている。また、ハブ１における内周側接合部１３と外周側接合部１５との間の屈曲部１４には、円周方向等間隔で複数の通気孔１４ａが開設されている。
【００１１】
このトーショナルダンパはクランクシャフトと一体に回転され、この回転に伴って入力される前記クランクシャフトの捩り振動に対し、第一のダンパ本体２又は第二のダンパ本体３が、所定の振動数域で入力振動による振動変位方向と異なる方向へ共振動作されることによって制振機能を発揮する。したがって、第一及び第二のエラストマ２１，３１は円周方向へ繰り返し剪断変形され、内部摩擦によって発熱するが、この熱は、一部がエラストマ表面から空気中へ放出されるほか、ハブ１と、第一及び第二の環状質量体２２，３２を介して空気中へ放出される。
【００１２】
ハブ１は、第一のエラストマ２１が接着された内周側接合部１３と、第二のエラストマ３１が接着された外周側接合部１５が屈曲部１４を間に介して互いに離れているので、前記内周側接合部１３及び外周側接合部１５から空気中への放熱が有効に行われる。しかもこのハブ１の断面は、内周側接合部１３の内周側の湾曲段差部１２及び屈曲部１４による蛇行形状となっているため放熱面積が大きく、したがって、ハブ１からの放熱性が向上する。
【００１３】
また、前記屈曲部１４に開設された通気孔１４ａが回転に伴いポンプ力を発生して、図中に矢印Ａで示すように、第一のダンパ本体２の外周部と屈曲部１４によって囲まれた凹状空間Ｓ１から、第二のダンパ本体３の内周部と屈曲部１４によって囲まれた凹状空間Ｓ２へ向けて、通気孔１４ａを通過する顕著な空気流が惹起される。このため屈曲部１４に伝達された熱は有効に除去され、内周側接合部１３と外周側接合部１５の間での伝熱が遮断される。また、屈曲部１４は第一のダンパ本体２の外周空間と第二のダンパ本体３の内周空間との間を遮断するように存在するため、第一の環状質量体２２からその外周の第二のエラストマ３１へ向けての放射熱及び第二の環状質量体３２からその内周の第一のエラストマ２１へ向けての放射熱を遮断する機能も有する。したがって、ある振動数域で第一のダンパ本体２が共振動作している場合に、第二のエラストマ３１が第一のエラストマ２１からの放熱や伝熱による悪影響を受けたり、逆に第二のダンパ本体３が共振動作している場合に、第一のエラストマ２１が第二のエラストマ３１からの放熱や伝熱による悪影響を受けるといったようなこともない。
【００１４】
一方、第一及び第二の環状質量体２２，３２は、大気との接触面に多数のフィン２２ａ，３２ａを有することによってその放熱面積が大きくなっており、しかもこのフィン２２ａ，３２ａも、回転によってこれに接触する空気に対するポンプ力を与え、外周側へ向けての空気流を生じさせるため、第一及び第二のエラストマ２１，３１で発生した熱は、この第一及び第二の環状質量体２２，３２からも有効に放熱される。
【００１５】
なお、放熱性を更に向上させるために、例えばハブ１の内周側接合部１３及び外周側接合部１５にも放射状のフィンを形成することができる。
【００１６】
【発明の効果】
本発明のトーショナルダンパによれば、ハブが、第一のエラストマと接着された内周側接合部と、第二のエラストマと接着された外周側接合部が屈曲部を介して互いに分離させ、屈曲部の存在によって、取付スペースの増大を抑えると共に放熱面積を増大させ、屈曲部に設けた通気孔に発生するポンプ力によって、屈曲部の内周側から外周側へ通気孔を通過する顕著な空気流が惹起されるため、第一のエラストマ及び第二のエラストマで発生する熱を効率よく放出して熱の蓄積を防止し、また、第一のエラストマからの熱と第二のエラストマからの熱が互いに影響し合うことが抑えられるので、エラストマの劣化による性能の低下及び耐久性の低下を防止することができる。
【図面の簡単な説明】
【図１】本発明に係るトーショナルダンパの好ましい一実施例を軸心を通る平面で切断して示す半断面図である。
【符号の説明】
１  ハブ
１１  内周部
１１ａ  内周孔
１２  湾曲段差部
１３  内周側接合部
１４  屈曲部
１４ａ  通気孔
１５  外周側接合部
２  第一のダンパ本体
２１  第一のエラストマ
２２  第一の環状質量体
２２ａ，３２ａ  フィン
３  第二のダンパ本体
３１  第二のエラストマ
３２  第二の環状質量体
【図１】
0003596557.tif 000002